(57)【要約】      （修正有）【課題】実用的な便箋を兼ねた封筒として、規格紙が利用でき、印刷の利便性、誤配防止から、一つの面に宛名と文面を記載でき、閉封、開封が容易で特に開封後の文面保管の利便性を有する便箋封筒を提供する。【解決手段】用紙表面に便箋面と宛名面を設け、封筒の規格に準拠した封筒幅に３つ折りし、接着剤塗布部を圧着することにより密封された封筒が形成され、開封用ミシン目で切断、開封して便箋シートとメモシートを分離し、該便箋シートが該綴じ穴でファイルできるようにしたことを特徴とする便箋封筒。【選択図】図３
0003143059.tif 000002
【実用新案登録請求の範囲】
【請求項１】
用紙表面に、該用紙上端から封筒の規格に準拠した封筒幅毎に設けた第１と第２の折り目と、便箋面と宛名面と、開封用ミシン目と、相互接着型の便箋面接着剤塗布部と前記宛名面の裏面の接着剤塗布部と、綴じ穴で構成され、前記第１の折り目を谷折り、第２の折り目を山折りして前記接着剤塗布部を圧着することにより封筒が形成され、前記開封用ミシン目で切断、開封して便箋シートとメモシートを分離し、該便箋シートが前記綴じ穴でファイルできるようにしたことを特徴とする便箋封筒。
【請求項２】
前記便箋封筒を同一方向に積み重ねたとき前記便箋面接着剤塗布部と前記宛名裏面の接着剤塗布部との重なりを内側と外側に相互に回避する配置としたことを特徴とする請求項１に記載の便箋封筒。
【請求項３】
用紙表面に、該用紙上端から封筒の規格に準拠した封筒幅毎に設けた第１と第２の折り目と、便箋面と宛名面と、開封用ミシン目と、便箋面のりしろ部と前記宛名面の裏面のりしろ部と、綴じ穴で構成され、前記のりしろ部に接着剤を塗布し、前記第１の折り目を谷折り、第２の折り目を山折りして接着することにより封筒が形成され、前記開封用ミシン目で切断、開封して便箋シートとメモシートを分離し、該便箋シートが前記綴じ穴でファイルできるようにしたことを特徴とする便箋封筒。
【請求項４】
用紙表面に、該用紙上端から封筒の規格に準拠した封筒幅毎に設けた第１と第２の折り目と、便箋面と宛名面と、開封用ミシン目と、接着を制御された便箋面接着剤塗布部と前記宛名面の裏面接着剤塗布部と、綴じ穴で構成され、前記便箋面接着剤塗布部と前記宛名面の裏面接着剤塗布部の前記接着の制御を解除し、前記第１の折り目を谷折り、第２の折り目を山折りすることにより封筒が形成され、前記開封用ミシン目で切断、開封して便箋シートとメモシートを分離し、該便箋シートが前記綴じ穴でファイルできるようにしたことを特徴とする便箋封筒。
【請求項５】
分離を容易にした適宜手段を設け宛名裏面のメモシートを分離できることを特徴とする請求項１〜請求項４に記載の便箋封筒。
【考案の詳細な説明】
【技術分野】
【０００１】  一枚の用紙で封筒と便箋に利用できる便箋封筒に関する。
【背景技術】
【０００２】  書類の郵送の多くは書類を封筒に入れて送付し、開封後の封筒の多くは廃棄されるので、紙資源が無駄に消費されるばかりでなく、廃棄によって環境破壊につながる懸念がある。【０００３】  これまでにも封筒と便箋を兼ね備えた便箋封筒と呼ばれるものが開示されている。帳票部を折り合わせた後に３方の蓋片を折って糊付けして封筒にするもの（例えば文献１参照）や、用紙をＺ状に３つ折りして周縁部を接着し３辺をミシン目にて切り取り開封できるようにした封書（例えば文献２）がある。
文献１  実用新案登録第３０７６６０２号
文献２  特開平１１−２２７３６５
【考案の開示】
【考案が解決しようとする課題】
【０００４】  開封後の封筒の多くは廃棄されるので紙資源の無駄になり、廃棄による環境問題、コスト低減のためにも実用的な便箋を兼ねた封筒の出現が望まれる。このために、用紙は複雑な形状ではなく規格紙が利用でき、印刷の利便性、誤配防止から、一つの面に宛名と文面を記載でき、閉封、開封が容易で特に開封後の文面保管の利便性が求められる。【０００５】  文献１は、帳票部を折り合わせた後に帳票枠外の３方の蓋片を折って糊付けして封筒にするものであり、規格サイズの用紙には適用できない他、接着剤塗布などの利便性の配慮が成されていない。【０００６】  文献２は、用紙をＺ状に折り重ねて周縁部にて接着し３辺をミシン目にて切り取り開封できるようにしているが、立体化を目的としたものであるために、切り離された紙片の帳票としての保存と規格サイズの用紙の利用については考慮されていない。
【課題を解決するための手段】
【０００７】  用紙表面に、該用紙上端から封筒の規格に準拠した封筒幅毎に設けた第１と第２の折り目と、便箋面と宛名面と、開封用ミシン目と、相互接着型の便箋面接着剤塗布部と前記宛名面の裏面の接着剤塗布部と、綴じ穴で構成され、前記第１の折り目を谷折り、第２の折り目を山折りして前記接着剤塗布部を圧着することにより封筒が形成され、前記開封用ミシン目で切断、開封して便箋シートとメモシートを分離し、該便箋シートが前記綴じ穴でファイルできるようにしたことを特徴とする便箋封筒とする。【０００８】  ここで相互接着型とは、一つの接着剤塗布部と用紙の間では圧着しても接着せず、接着剤塗布部同士で圧着されると接着するタイプの接着剤が使われる。【０００９】  前記において、前記便箋封筒を同一方向に積み重ねたとき前記便箋面接着剤塗布部の一部と前記宛名裏面の接着剤塗布部の一部との重なりを内側と外側に相互に回避する配置としたことを特徴とする便箋封筒とする。【００１０】  用紙表面に、該用紙上端から封筒の規格に準拠した封筒幅毎に設けた第１と第２の折り目と、便箋面と宛名面と、開封用ミシン目と、便箋面のりしろ部と前記宛名面の裏面のりしろ部と、綴じ穴で構成され、前記のりしろ部に接着剤を塗布し、前記第１の折り目を谷折り、第２の折り目を山折りして接着することにより封筒が形成され、前記開封用ミシン目で切断、開封して便箋シートとメモシートを分離し、該便箋シートが前記綴じ穴でファイルできるようにしたことを特徴とする便箋封筒とする。【００１１】  用紙表面に、該用紙上端から封筒の規格に準拠した封筒幅毎に設けた第１と第２の折り目と、便箋面と宛名面と、開封用ミシン目と、接着を制御された便箋面接着剤塗布部と前記宛名面の裏面接着剤塗布部と、綴じ穴で構成され、前記便箋面接着剤塗布部と前記宛名面の裏面接着剤塗布部の前記接着の制御を解除し、前記第１の折り目を谷折り、第２の折り目を山折りすることにより封筒が形成され、前記開封用ミシン目で切断、開封して便箋シートとメモシートを分離し、該便箋シートが前記綴じ穴でファイルできるようにしたことを特徴とする便箋封筒とする。【００１２】  分離を容易にした適宜手段を設け宛名裏面のメモシートを分離できることを特徴とする便箋封筒とする。
【考案の効果】
【００１３】  本考案により次のことが可能になる。
規格紙を利用して、便箋を兼ねた封筒として使用でき、他の書類を同封可能であるなど、郵送コストを低減でき、紙資源の無駄を防ぎ環境問題にも貢献できる。また、一つの面に宛名と文面を記載できるので請求書、案内、ダイレクトメールなどに使用の際の誤配を防ぐ効果がある。ミシン目の切断により開封が容易であり、綴じ穴を活用することにより文面保管に便利である。【００１４】  請求項２では、本便箋封筒を積み重ねても表面と裏面の接着剤塗布部が相互に接着しないように考慮されている。また、宛名裏面のメモシートを分離できるのでメモ欄など有効に活用することができる。【００１５】  その他、請求項１及び請求項４により、接着剤が塗布されていて閉封が容易である。
また、請求項３は、小口の利用を考慮して、利用者が直に接着剤を塗布して用いることができるようにのりしろ部を設け便宜を図っている。
また、請求項５では、宛名裏面を分離して裏面をメモ欄に利用するなど便宜が図られている。
【実施例】
【００１６】  本考案の実施例を図によって詳細に説明する。図１は本考案の便箋封筒１の表面を示す正面図である。図２は便箋封筒１の裏面を示す背面図である。【００１７】  図１は、用紙を縦置きした本考案便箋封筒１の表の状態を示す。用紙の大きさは自由であるが、ここでは縦方向に３つ折りして封筒幅以内になるように、日本工業規格Ａ列４番用紙を用いている。ここで封筒の幅寸法は、日本工業規格の封筒の封筒幅に準拠する。【００１８】  用紙の外形は、用紙上端１１、用紙下端１４、用紙左端１５、用紙右端１６で成り、用紙上端１１から封筒の幅寸法毎に設けた用紙上端１１に平行な第１の折り目１２及び第２の折り目１３を設ける。【００１９】  用紙上端１１と折り目１３の間は、便箋面４とし、折り目１３と用紙下端１４の間は宛名面５として使用する。【００２０】  開封用のミシン目を、用紙上端内側にミシン目２１を、折り目１３の上下両側にミシン目２２、２３を、左端内側、右端内側にミシン目２４、２５を、それぞれ端部から５〜１５ｍｍの寸法で設ける。また、下端上側に２〜７ｍｍの範囲で適宜寸法のミシン目３０を設ける。【００２１】  便箋面４の周縁の接着剤塗布部２６は、折り目１３、ミシン目２２、左端１５、右端１６に囲まれた２６ａ、上端１１、ミシン目２１、左端１５、右端１６で囲まれた２６ｂ、左端１５、ミシン目２４、ミシン目２１及び２２で囲まれた部分の折り目１２の下部を２６ｃ、上部を２６ｄ、ミシン目２５、右端１６、ミシン目２１及び２２で囲まれた部分の折り目１２の下部を２６ｅ、上部を２６ｆとして構成される。【００２２】  ただし、本便箋封筒１を重ねたとき、表面における後述の図２で示す裏面の接着剤塗布部２８ｂ、２８ｄとの重なりを回避するため、図１に示すように、接着剤塗布部２６ｃ、２６ｅの下半部はミシン目２４、２５の外側端縁の２〜７ｍｍ幅の適宜範囲として端部側を接着剤未塗布とする。この結果、接着剤塗布部２８ｂ、２８ｄは外側に、接着剤塗布部２６ｃ、２６ｅの下半部は内側の配置となり重なりを回避できる。なお、接着剤塗布部の重なりを回避する同目的で裏面の接着剤塗布部２８ｂ、２８ｄを内側に接着剤塗布部２６ｃ、２６ｅの下半部を外側に配置してもよい。【００２３】  この接着剤塗布部には、接着剤塗布面と用紙部が圧接しても接着せず、接着剤塗布面同士が圧接されると密着する接着剤が用いられる。【００２４】  便箋面を閉封するとき折り目１２を谷折りして接着剤塗布部２６ａは２６ｂに、２６ｃは２６ｄに、２６ｅは２６ｆに重ね合わせ押圧することにより強固に接着される。【００２５】  ミシン目２２の上部に該ミシン目２２に平行に一列で複数穴のファイル用の綴じ穴３１を設ける。【００２６】  図２に本便箋封筒の裏面を示す。折り目１３の上部は便箋面の裏面６である。折り目１３の下部は宛名面の裏面７である。【００２７】  折り目１３を中心に端部１４までの寸法と同等の上部の位置を接着剤裏面塗布ライン２７とし、宛名裏面７の接着剤塗布部２８は、ミシン目２４、右端１５、下端１４、接着剤裏面塗布ライン２７で囲まれた部分の端部縁２〜７ｍｍ幅の部分であって、折り目１３の下部を２８ａ、上部を２８ｂとし、また、ミシン目２５、左端１６、下端１４、接着剤裏面塗布ライン２７で囲まれた部分の端部縁２〜７ｍｍ幅の部分であって、折り目１３の下部を２８ｃ、上部を２８ｄとして構成される。【００２８】  なお、接着剤塗布部２８は、図２では左右それぞれ連続線で構成されているが、便箋封筒を重ねたとき剥離可能にするため接着剤塗布範囲を不連続、断片的にして少なくし接着強度を低くすることもできる。【００２９】  また、必要に応じて下端１４から５〜１５ｍｍの範囲の適宜寸法位置にミシン目３０を設ける。後述のメモシートを分離するときこのミシン目３０で切断することもできる。【００３０】  宛名裏面７を閉封するには折り目１３を谷折りして接着剤塗布部２８ａを２８ｂに、２８ｃを２８ｄに重ね合わせ押圧することにより強固に接着される。【００３１】  さらに、宛名裏面の接着剤塗布部２９は下端１４とミシン目３０の間に２〜７ｍｍ幅の適宜寸法の２９ａ、接着剤裏面塗布ライン２７の内側に同様適宜寸法幅の２９ｂで構成される。２９ｂは、本便箋封筒を重ねたとき前記の表部便箋面の接着剤塗布部２６ｃ、２６ｅと重ならないようにミシン目２４、２５の内側の範囲内とする。接着剤塗布部２９は接着剤塗布部同士で接着しても剥離可能な弱接着剤を用いるか、あるいは、図２の２９ａで示すように、接着剤塗布範囲を不連続や断片的にして少なくし接着強度を低くすることもできる。【００３２】  図３に本考案の閉封時を説明する。表面側から折り目１２で谷折り、折り目１３で山折りし、便箋面４を閉封、宛名面５を上にして宛名裏面７を閉封する。
宛名面の裏面は折り目１３を谷折りして閉封するとき、２９ａを２９ｂに重ね合わせ、接着剤塗布部２９による剥離可能な弱接着を行う。この宛名裏面の閉封により綴じ穴３１近傍は閉封され外部と遮断することができる。【００３３】  図４に閉封後の状態の一例を示す。この例では郵便番号欄３２を印刷した例を示した。開封はミシン目２２、２３、２４、２５を切断することにより可能である。【００３４】  図５に閉封後のもう一つの例を示す。この例では、宛名欄３３と料金別納印３４の印刷などが可能なことを示した。【００３５】  図６に開封後の便箋シート２を示す。接着剤塗布部２６は全て除去され便箋の記載面のみが得られる。綴じ穴３１を用いて複数枚の便箋を重ねファイルすることができる。【００３６】  図７に宛名裏面のメモシート３を示す。接着剤塗布部が切除されてメモシートのみが得られる。メモシート３には各種メモ欄３５へ印刷が可能である他、差し出し側の二次元バーコード３６を印刷してＰＲに利用するなど種々の用途に利用が可能である。また、宛名裏面の折り目１３で谷折りしたとき表面の便箋面から綴じ穴３１を通して見ることができる宛名裏面の文字３７を記載することもできる。メモシートは綴じ穴３８を設けて整理、保管に利用できる。綴じ穴３８は左右どちらでも良い。【００３７】  次に、前記相互接着型の接着剤塗布部に代わって、便箋面のりしろ部４２と、前記宛名面の裏面のりしろ部４３とを設けた場合を示す。他は前記の接着剤塗布のものと同様である。【００３８】  図８はのりしろ部を設けた便箋封筒４１の表面、図９は裏面である。便箋面のりしろ部４２は、用紙上端１１、ミシン目２１、用紙左端１５、右端１６で囲まれた範囲４２ａ、左端１５、ミシン目２４、２１、折り目１２で囲まれた範囲４２ｂ、ミシン目２５、右端１６、ミシン目２１、折り目１２で囲まれた４２ｃで構成される。【００３９】  宛名面の裏面のりしろ部４３は、下端１４、ミシン目３０、左端１６、右端１５で囲まれた４３ａ、ミシン目２４、右端１５、折り目１３、ミシン目３０で囲まれた４３ｂ、左端１６、ミシン目２５、折り目１３、ミシン目３０で囲まれた４３ｃで構成される。のりしろ部４２に接着剤を塗布し表面側で折り目１２を谷折りすることで便箋面４が閉封され、裏面でのりしろ部４３に接着剤を塗布して折り目１３を谷折りして宛名裏面と綴じ穴近傍が閉封される。【００４０】  次に接着を制御された接着剤塗布部を設けた場合を説明する。前記の図８及び図９を用いて示された、便箋面のりしろ部４２、及び宛名面の裏面のりしろ部４３に、接着剤塗布部が用紙に圧接されたとき接着するタイプの接着剤を塗布し、塗布部は剥離用シール等を介して他の用紙と接着するのを回避させる。【００４１】  また、便箋面のりしろ部４２、及び宛名面の裏面のりしろ部４３に、接着剤塗布部と用紙はそのままでは接着せず水分を供給することにより接着可能となる接着剤を塗布して用いることなどができる。
【産業上の利用可能性】
【００４２】  本便箋封筒における、印刷面、ミシン目、折り目、接着剤塗布などの加工は、主として印刷業者が製造することができ、一般事業者の請求書、案内、ダイレクトメールなどの郵送に利用できるほか、レターセットなどとして商品化することで一般消費者にも利用でき、産業上利用可能性は高い。
【図面の簡単な説明】
【００４３】
【図１】本考案の便箋封筒の表面を表す（正面図）
【図２】同便箋封筒の裏面を表す（背面図）
【図３】同便箋封筒の閉封時の説明図
【図４】同便箋封筒の閉封後の一例を示す説明図
【図５】同便箋封筒の閉封後のもう一つの例を示す説明図
【図６】開封後の分離された便箋シートの説明図
【図７】開封後の分離されたメモシートの説明図
【符号の説明】
【００４４】１  便箋封筒
２  便箋シート
３  メモシート
４  便箋面
５  宛名面
６  便箋裏面
７  宛名裏面
１１  用紙上端
１２  第１の折り目
１３  第２の折り目
１４  用紙下端
１５  用紙左端
１６  用紙右端
２１  用紙上端縁ミシン目
２２  第２の折り目上縁ミシン目
２３  第２の折り目下縁ミシン目
２４  用紙左端縁ミシン目
２５  用紙右端縁ミシン目
２６  便箋面接着剤塗布部
２７  接着剤裏面塗布ライン
２８  宛名裏面接着剤塗布部
２９  宛名裏面接着剤塗布部
３１  綴じ穴
３７  宛名裏面の文字
３８  綴じ穴
４１  のりしろ部を設けた便箋封筒
４２  便箋面のりしろ部
４３  宛名面の裏面のりしろ部
【図１】
0003143059.tif 000003
【図２】
0003143059.tif 000004
【図３】
0003143059.tif 000005
【図４】
0003143059.tif 000006
【図５】
0003143059.tif 000007
【図６】
0003143059.tif 000008
【図７】
0003143059.tif 000009
【図８】
0003143059.tif 000010
【図９】
0003143059.tif 000011
【手続補正書】
【提出日】平成20年5月2日(2008.5.2)
【手続補正１】
【補正対象書類名】明細書
【補正対象項目名】００４３
【補正方法】変更
【補正の内容】
【００４３】
【図１】本考案の便箋封筒の表面を表す（正面図）
【図２】同便箋封筒の裏面を表す（背面図）
【図３】同便箋封筒の閉封時の説明図
【図４】同便箋封筒の閉封後の一例を示す説明図
【図５】同便箋封筒の閉封後のもう一つの例を示す説明図
【図６】開封後の分離された便箋シートの説明図
【図７】開封後の分離されたメモシートの説明図
【図８】のりしろ部を設けた便箋封筒の表面を示す説明図
【図９】のりしろ部を設けた便箋封筒の裏面を示す説明図